(57)【特許請求の範囲】
【請求項１】
少なくとも１つの歯科補綴部材に対する支持面が設けられた窯基底部（１４）と、前記窯基底部（１４）に取り付けられたジョイント器具（１６）を介して前記窯基底部（１４）と連結され、前記ジョイント器具（１６）を介して前記窯基底部（１４）に対して旋回可能である窯ヘッド（１２）であって、該旋回は前記支持面と実質的に平行に延在する旋回軸（４０）まわりになされる窯ヘッドと、前記窯ヘッド（１２）の旋回動作のために前記ジョイント器具（１６）に作用するモーター（４２）とを備え、前記旋回軸（４０）は前記窯ヘッド（１２）の外側および前記ジョイント器具（１６）の外側に延在することを特徴とする歯科用窯および歯科用圧縮窯。
【請求項２】
前記ジョイント器具（１６）はジョイントを介して互いに連結された少なくとも３つの脚である１つのフレーム脚（２２）および２つの中間脚（２４、２６）を備え、第１、第２および第３のジョイント軸（３０、３２、３６）が隣接した脚の間に形成されることを特徴とする請求項１に記載の窯。
【請求項３】
前記ジョイント器具（１６）はジョイントを介して互いに連結された４つの脚である１つのフレーム脚（２２）、２つの中間脚（２４、２６）およびヘッド脚（３４）を備え、第１、第２、第３および第４のジョイント軸（３０、３２、３６、３８）が隣接した脚の間に形成されることを特徴とする請求項１に記載の窯。
【請求項４】
前記フレーム脚（２２）は、前記窯基底部（１４）に強固に連結されていることを特徴とする請求項２に記載の窯。
【請求項５】
前記フレーム脚（２２）は、前記窯基底部（１４）と他の１つの前記ヘッド脚（３４）とに強固に連結され、前記窯ヘッド（１２）は取り付け可能または取り付けられていることを特徴とする請求項３に記載の窯。
【請求項６】
前記ジョイント器具（１６）は少なくと３つの脚を備え、前記窯ヘッド（１２）と連結された前記ヘッド脚（３４）は、前記フレーム脚（２２）が連結された部位であって前記中間脚（２４、２６）の互いに対向する端部において前記中間脚（２４、２６）と連結されるように形成されることを特徴とする請求項１または２に記載の窯。
【請求項７】
前記ジョイント器具（１６）は４つの脚を備え、前記窯ヘッド（１２）と連結された前記ヘッド脚（３４）は、前記フレーム脚（２２）が連結された部位であって前記中間脚（２４、２６）の互いに対向する端部において前記中間脚（２４、２６）と連結されるように形成されることを特徴とする請求項１または３に記載の窯。
【請求項８】
前記ジョイント器具（１６）がジョイントを介して互いに連結された少なくとも３つの脚を備えること、および、前記窯基底部（１４）に取り付けられたフレーム脚（２２）はジョイントを介して２つの中間脚（２４、２６）と連結され、前記フレーム脚（２２）に形成された前記ジョイント軸（３０、３２）は垂直方向に、互いに分離して配置されること、および、前記中間脚（２４、２６）に形成された他の前記ジョイント軸（３６、３８）もまた互いに分離して配置されるとともに前記窯ヘッド（１２）に取り付けられた前記ヘッド脚（３４）と連結されることを特徴とする請求項１、２、４または６のいずれかに記載の窯。
【請求項９】
前記ジョイント器具（１６）がジョイントを介して互いに連結された４つの脚を備えること、および、前記窯基底部（１４）に取り付けられたフレーム脚（２２）はジョイントを介して２つの中間脚（２４、２６）と連結され、前記フレーム脚（２２）に形成された前記ジョイント軸（３０、３２）は垂直方向に、互いに分離して配置されること、および、前記中間脚（２４、２６）に形成された他の前記ジョイント軸（３６、３８）もまた互いに分離して配置されるとともに前記窯ヘッド（１２）に取り付けられた前記ヘッド脚（３４）と連結されることを特徴とする請求項１、３、５または７のいずれかに記載の窯。
【請求項１０】
前記ジョイント器具（１６）は、前記旋回軸（４０）と平行な方向に互いに分離して配置された２つのジョイント構造を備え、それぞれに前記フレーム脚および前記中間脚または前記フレーム脚、前記中間脚および前記ヘッド脚のいずれからなる複数の脚を備えることを特徴とする請求項１〜９のいずれかに記載の窯。
【請求項１１】
前記窯ヘッド（１２）を旋回するために使用する前記モーター（４２）は、前記ジョイント器具（１６）の前記ジョイント構造の間に収納されることを特徴とする請求項１０に記載の窯。
【請求項１２】
前記窯ヘッド（１２）の重量に基づく重力に抗して作用しこれを補う引張バネ（４１）を、前記ジョイント器具（１６）の中または前記ジョイント器具（１６）に収納することを特徴とする請求項１〜１１のいずれかに記載の窯。
【請求項１３】
前記引張バネ（４１）は前記ジョイント器具（１６）の前記構造の間に収納される２つの個々の引張バネから成ることを特徴とする請求項１２に記載の窯。
【請求項１４】
前記ジョイント器具（１６）は前記ジョイント軸（３０、３２、３６、３８）を４つの角に置く四角形の形状で互いに連結された前記フレーム脚および前記中間脚または前記フレーム脚、前記中間脚および前記ヘッド脚のいずれからなる複数の脚を備えることを特徴とする請求項１〜１３のいずれかに記載の窯。
【請求項１５】
前記窯ヘッド（１２）は前記ジョイント器具（１６）と開放可能に連結され、バネで留められたロック突起部（５６）を介して固着されたプラグ着脱可能な成形部品（５０）を使用して固定を行うことを特徴とする請求項１〜１４のいずれかに記載の窯。
【請求項１６】
前記窯ヘッドに固定された成形部品は実質的に上下を反転させたＵ型であり、その側脚端部は尖ったフェース（５２、５４）であることを特徴とする請求項１５に記載の窯。
【請求項１７】
前記モーター（４２）の駆動軸は支軸として形成され、前記ジョイント器具（１６）を順に駆動するフォームギアと相互に作用することを特徴とする請求項１〜１６のいずれかに記載の窯。
【請求項１８】
前記窯のハウジングに対する前記旋回軸（４０）の距離は、前記窯ハウジングの最大長さの０．１〜２倍であり、および／または、前記窯ヘッド（１２）が開いたときの前記窯ヘッド（１２）の底床と前記窯基底部（１４）の上部の間の開口角度は５°〜２０°であることを特徴とする請求項１〜１７のいずれかに記載の窯。
【発明の詳細な説明】
【技術分野】
【０００１】
本発明は、請求項１前段に記載の窯に関する。
【背景技術】
【０００２】
歯科用窯または歯科用圧力窯は、一般的に、歯科補綴部材を置くことができる窯基底部、および実質的にはフード形状で燃焼室も加熱する窯ヘッドを備える。
【０００３】
旋回可能な窯ヘッドを備えた歯科用窯が長きにわたり知られている。この代表的なものが米国特許第５６９９１１号明細書である。
【０００４】
窯基底部の歯科補綴部材用の平滑な支持面が際立っている独国特許第２６３２８４６号明細書の解決方式によって利便性が提供されることになると、かなりの進展である。後方部において、このような解決方式では、基底部と旋回ジョイントの旋回軸受ピンを通り抜けて生じる旋回軸を備えているヘッドとの間に取り付けられたジョイントを提供する。
【０００５】
独国特許第１９５４２９８４号（Ｃ１）明細書で開示されたように、窯を操作する歯科技工士による取り出しを容易にするために、ヘッドは比較的広範囲に、例えば３５°の旋回角度で、旋回して開かなければならない。この解決方式では、３０ｍｍのさらなる持ち上げを容易にするピン軸受を追加提供するがこの構造は比較的複雑である。
【０００６】
焼成サイクルが完了すると、窯は窯ヘッドが上部に旋回することで開かれる。この状態では、窯ヘッドはまだ比較的熱い。可能であれば、長時間開口状態のままにすべきでない。さもなければ、窯が冷めて次の焼成サイクルのためにより多くの時間再加熱する必要があるからである。したがって、歯科技工士が、冷却段階の必要がなく歯科補綴部材を早く取り出せることが重要である。これを容易にするために、歯科技工士は大きく旋回して開く窯ヘッドを必要とする。しかしながら、残念なことに、大きい旋回は操作者が窯ヘッドの熱い底床により照射される影響があり、それは操作者には都合の悪いことであり、やけどの危険性を減らすために、場合によっては防護服を着るように奨励されている。
【発明の概要】
【発明が解決しようとする課題】
【０００７】
これと比べて本発明の目的は、使いやすさの点を改良した、請求項１前段に記載の歯科用窯または歯科用圧力窯を提供することである。
【課題を解決するための手段】
【０００８】
この目的は請求項１により解決される。従属請求項によって好適な発展形態が導き出される。
【０００９】
本発明によれば、いわゆる仮想旋回軸が特別なジョイント器具を用いて作り出され、すなわち、一方では窯ヘッドの外側にあり、他方ではジョイント器具自体の外側にある旋回軸である。このため、一般的に知られている歯科用窯のように、ジョイント器具は窯底部に取り付けられた脚および窯ヘッドに取り付けられた（または少なくとも取り付け可能な）脚を備える。これらの脚の間に二つの移動可能な脚が、すなわち互いに重なりあって設けられている。上述のこれら４つの脚は、４つのジョイント軸を介して互いに連結され、平行四辺形を形成する。
【００１０】
昔ながらの窯ジョイントでは窯ヘッドの旋回軸が、ほとんどの場合そこに備えられた軸受ピンであるジョイント軸を通り抜ける一方で、本発明では、旋回軸が窯ヘッドの反対側のジョイント器具の側面で、窯の外側へ遠く離れて延在する。
【００１１】
旋回軸は水平方向に、すなわち、窯基底部において歯科補綴部材に対して支持面と平行に、延在する。
【００１２】
概して、旋回軸とジョイント器具の間の距離は窯ヘッドの直径にほぼ相当する。
【００１３】
本発明によれば、このようにして窯は歯科補綴部材を取り出すために比較的小さい旋回角度で大きく旋回して開くことができる。窯ヘッドと歯科補綴部材の間の距離は小さい旋回角度にもかかわらず大きく、操作者は窯ヘッドの熱い底床によりほとんど照射されない。むしろ、熱が底部に放射されて窯領域にとどまり、素早く取り出すときにわずかな熱を失うだけである。
【００１４】
本発明によれば、ジョイント器具はコンパクトに製造され意外にも安価であることが有益である。ジョイント器具の脚は打ち抜き部品として安価に実現され得る。好ましくは、ジョイント器具は、互いに分離して配置され互いに対称である二つのジョイント構造から成る。これらの間に、窯ヘッドの重量ならびに窯ヘッドの電動作動のための駆動モーターを補う働きをする引張バネが収納され得る。意外なことに、既知の窯ジョイントと比較して、よりコンパクトなジョイント器具はこのようにして実現され得る。
【００１５】
好適な発展形態によれば、ジョイント器具はジョイントを介して互いに連結された少なくとも３つ、とりわけ４つの脚を備え、第一、第二、第三、およびとりわけ第四のジョイント軸が隣接した脚の間に形成される。
【００１６】
好適な発展形態によれば、ジョイント器具は複数の脚を備え、そのうちの一つのフレーム脚は、窯基底部と他のもう一つのヘッド脚とに強固に連結され、窯ヘッドは取り付け可能または取り付けられている。
【００１７】
別の好適な発展形態によれば、ジョイント器具は複数の脚を備え、窯ヘッドと連結されたヘッド脚は窯ヘッドに面する脚として形成される。
【００１８】
別の好適な発展形態によれば、ジョイント器具がジョイントを介して互いに連結された複数の脚を備え、基底部に取り付けられたフレーム脚はジョイントを介して二つの中間脚と連結され、ジョイント軸は中間脚の方へ、特に垂直方向に、互いに分離して配置され、中間脚の他のジョイント軸は窯ヘッドに取り付けられた脚と連結される。
【００１９】
別の好適な発展形態によれば、ジョイント器具は、水平方向に互いに分離して配置され、特に旋回軸と平行な方向に互いに分離して配置された二つのジョイント構造を備えており、それぞれに複数の脚を備えている。
【００２０】
別の好適な発展形態によれば、窯ヘッドを旋回するために使用するモーターはジョイント器具のジョイント構造の間に収納される。
【００２１】
別の好適な発展形態によれば、窯ヘッドの重量に対して作用し既知の方式で実質的にこれを補う引張バネを、ジョイント器具の中またはジョイント器具に収納する。
【００２２】
別の好適な発展形態によれば、引張バネはジョイント器具の内部、特にジョイント器具の構造の間に収納される二つの個々の引張バネから成る。
【００２３】
別の好適な発展形態によれば、ジョイント器具は凸状正方形の形状で互いに連結された複数の脚を備えている。
【００２４】
別の好適な発展形態によれば、窯ヘッドはジョイント器具に解放可能に連結され、バネで留められたロック突起部を介して固着されたプラグ着脱可能な成形部品を使用して固定を行う。
【００２５】
別の好適な発展形態によれば、窯ヘッドに固定された成形部品は実質的に上下を反転させたＵ型であり、側脚端部は尖ったフェースである。
【００２６】
別の好適な発展形態によれば、モーターの駆動軸は支軸として形成され、支軸としてはジョイント器具を駆動するウォームギアと相互に作用する。
【００２７】
別の好適な発展形態によれば、窯のハウジングに対する旋回軸の距離は窯ハウジングの最大長さの０．１〜２倍であり、および／または、窯ヘッドが開いたときの窯ヘッドの底床と窯基底部の上部の間の開口角度は５°〜２０°である。
【００２８】
本発明のその他の利点、詳細ならびに特徴は、図面について以下に記述する複数の実施例から得られる。
【図面の簡単な説明】
【００２９】
【図１】本発明に係る圧縮窯の一実施例を示した概略図である。
【図２】ジョイント器具が示されている従来の窯の細部を示した概略図である。
【図３】ジョイント器具も示されている本発明に係る窯の別の実施例の細部を示した概略図である。
【図４】本発明に係る窯の別の実施例を図示する。
【発明を実施するための形態】
【００３０】
図１に示されている本発明の窯または圧縮窯１０は、本実施例において圧縮窯として形成される。ジョイント器具１６を介して互いに連結された窯ヘッド１２および窯基底部１４が設けられる。窯ヘッド１２は、既知の方式で、マッフル２０の収容向けの燃焼室１８を備える。
【００３１】
ジョイント器具１６は特殊な方法で独創的に形成されており、窯基底部１４、中間脚であって可動脚たる可動下脚２４および可動上脚２６と連結されたフレーム脚２２を備える。両方の脚２４および２６はそれぞれジョイント軸３０および３２を介してフレーム脚２２と連結される。
【００３２】
ジョイント器具１６はさらにジョイント軸３６および３８を介して可動脚２４および可動脚２６と連結されているヘッド脚３４を備える。ヘッド脚３４は窯ヘッド１２と連結されており、実際には、図示された第１の実施例において、強固に連結される。
【００３３】
図１による図において、窯ヘッド１２の開いた位置ならびに閉じた位置は互いに重なりあって示される。
【００３４】
本発明のジョイント器具１６を使用して、窯ヘッド１２は、窯１０からかなり離れて位置する仮想旋回軸４０まわりを旋回可能である。この仮想旋回軸の実現により、窯ヘッド１２を開いた時でも、わずか１８°程度の比較的小さい旋回角度となる。
【００３５】
ジョイント器具１６の領域には、引張バネ４１が取り付けられる。引張バネは上部の方向にヘッド脚３４に予圧を与え、窯ヘッドの重量を補う働きをする。その結果、支軸として形成された駆動軸により、またそこへ連結されたウォームギアにより比較的低い駆動力でモーター４２は窯ヘッド１２を開いたり閉じたりできる。
【００３６】
図２は、従来の窯のジョイント器具を概略的に示す。図２および別の図において、同一参照番号は同一部品を指す。ここで、旋回軸４０はジョイント軸３０と重なり、フレーム脚２２はジョイント軸３０を介してヘッド脚３４に直接連結される。モーター４２は、ジョイント器具１６に隣接して横方向に配置され、ヘッド脚３４の上に支軸とともに作動する。
【００３７】
一方、図３は本発明のジョイント器具１６を示す。その図は窯ヘッドの閉じた位置を実線で示し開いた位置を点線で示す。ジョイント軸３０、３２、３６、３８を正方形の角とする凸状正方形の形のジョイント器具の実施例が、図３からはっきりと見てとれる。図３に示す図では旋回軸４０はわずかに窯の外側に存在するが、実際の寸法記入はむしろ図１に対応することは理解される。
【００３８】
ジョイント器具１６は、図１および図３では簡単な形状で示されている。
【００３９】
変形例において、ジョイント器具１６は、互いに対称で互いに関連のある二つのジョイント構造から成る。描画層の前面または背面において、図示されたジョイント構造に加えてさらに対応するジョイント構造が示され、旋回軸全体の方向に互いに分離して配置された両ジョイント構造がジョイント器具１６を形成する。
【００４０】
これによって、可動脚２４および可動脚２６が好ましくは２倍備えられ、フレーム脚２２はＵ型であり、Ｕ型の中央の脚は垂直に延在し、Ｕ型の各側脚はジョイント軸３０および３２の両方を受けている。
【００４１】
両方のジョイント構造を互いに連結し、水平断面でも実質的にＵ型であるヘッド脚３４についても同じことが言える。ここで、ジョイント軸３６および３８もＵ型の側脚内へ延在する。フレーム脚３０、３２の間にモーター４２が収納され、ジョイント配置１６は全体で極めてコンパクトな構造となる。
【００４２】
図４は、本発明の窯の別の変形例を示す。ここでも、窯ヘッド１２が閉じた場合、ヘッド脚３４は実質的に垂直に延在する。しかしながら、窯ヘッド１２とは直接に連結されない。むしろ、窯ヘッド１２と強固に連結され、実質的には上下を反転させたＵ型である成形部品５０が設けられる。その側脚は、ヘッド脚３４に対して差込傾斜を形成する尖ったフェース５２、５４で終わり、ヘッド脚と重なる。
【００４３】
ヘッド脚３４と成形部品５０の間のロックのためにロック突起部５６を備え、ロック突起部は、成形部品５０に可動に取り付けられ、このような方法で、ヘッド脚３４と窯ヘッド１２の間の確実な連結を容易にするために、ロックされた位置でヘッド脚３４の対応する開口部を通り抜ける。
【図１】
0005767409.tif 000002
【図２】
0005767409.tif 000003
【図３】
0005767409.tif 000004
【図４】
0005767409.tif 000005